(57)【要約】【課題】平坦面の有無に係わらず、隅などの死角空間を有効に利用できる三面突っ張り構造を提供することにある。【解決手段】外筒１ａ及び内筒１ｂからなり伸縮自在で両端面に対向する他物の各面に突っ張って固定されうる両端突っ張り棒１と、外筒２ａ及び内筒２ｂからなり一端が両端突っ張り棒１の長寸方向に沿って摺動可能で、他端に対向する第三の面に圧接されて密着しうる圧接部を有し、第三面に対して突っ張ることにより両端突っ張り棒１と第三面との間に固定されうる伸縮自在な片端突っ張り棒２とを備えることを特徴とする。【選択図】図１
0003105200.tif 000002
【実用新案登録請求の範囲】
【請求項１】
伸縮自在で両端面に対向する他物の各面に突っ張って固定されうる両端突っ張り棒と、一端が両端突っ張り棒の長寸方向に沿って摺動可能で、他端に対向する第三の面に圧接されて密着しうる圧接部を有し、第三面に対して突っ張ることにより両端突っ張り棒と第三面との間に固定されうる伸縮自在な片端突っ張り棒とを備えることを特徴とする三面突っ張り構造。
【考案の詳細な説明】
【技術分野】
【０００１】  この考案は、天井などの上面及び床などの下面とこれら二面に直交する一つの壁面との三面を利用して固定しうる三面突っ張り構造に属し、部屋、押し入れ、台所、洗面所などの各隅にて好適に利用されうる。
【背景技術】
【０００２】  突っ張り棒は、一般に伸縮自在な棒ないし筒と、伸長方向に力を付与するコイルバネあるいは所定の長さに決めるストッパーなどを組み合わせ、天井と床、押し入れ内の左右壁などの対向する二面に突っ張ることにより、固定されるものである。そして、天井と床との間に固定される場合は、途中に棚などが取り付けられるし（特許文献１の図１）、左右壁に固定される場合は、小物を吊すことができる。また、左右に鉛直方向の壁が存在しない環境で水平方向に棒を固定したい場合は、先ず２本の突っ張り棒をそれぞれ上下面に突っ張って固定し、それらの２本の突っ張り棒に第三の棒を水平に固定する構造が提案されている（特許文献２）。
【特許文献１】実用新案登録第３０１３２２８
【特許文献２】特開平９−３０３３６６
【考案の開示】
【考案が解決しようとする課題】
【０００３】  しかし、特許文献１のように１本の突っ張り棒を鉛直方向に固定し、これに棚などを取り付けた場合は、棚が片持ち式に固定されるだけであるから、棚自体が小面積で軽量のものに限定される。また、特許文献２のように鉛直方向の２本の突っ張り棒に第三の棒を水平に固定する場合は、２本の鉛直方向の突っ張り棒を固定する平坦な面が上下４個所に必要となる。従って、固定しようとする場所に異物や凹部が存在するなどのように平坦面が無ければ設置不可能であるし、狭い隅に固定すれば隅側の突っ張り棒によって利用空間が更に狭められてかえって快適さを損なう。
それ故、この考案の課題は、平坦面の有無に係わらず、隅などの死角空間を有効に利用できる三面突っ張り構造を提供することにある。
【課題を解決するための手段】
【０００４】  その課題を解決するために、この考案の三面突っ張り構造は、伸縮自在で両端面に対向する他物の各面に突っ張って固定されうる両端突っ張り棒と、一端が両端突っ張り棒の長寸方向に沿って摺動可能で、他端に対向する第三の面に圧接されて密着しうる圧接部を有し、第三面に対して突っ張ることにより両端突っ張り棒と第三面との間に固定されうる伸縮自在な片端突っ張り棒とを備えることを特徴とする。対向する他物の各面とは、例えば天井面と床面、あるいは左右もしくは前後の壁面などである。第三面とは、他物の各面が天井面と床面の場合は例えば左右前後のいずれかの壁面、他物の各面が左右もしくは前後の壁面の場合は天井面もしくは床面である。
この突っ張り構造によれば、先ず両端突っ張り棒は、両端面に対向する他物の各面のどこかに平坦面があればそこに突っ張って固定されうる。両端突っ張り棒は通常、外筒及びこれに嵌合する内筒と、これらの両筒を伸長方向に突っ張らせる突っ張り手段とからなる。片端突っ張り棒も同様である。突っ張り手段は、両筒に内装されるコイルバネ、あるいは外筒に対して径方向にねじ運動とともに貫通して内筒に圧接される止めねじなどの公知の技術が適用可能である。【０００５】  次に片端突っ張り棒は、両端突っ張り棒の長寸方向に沿って摺動可能で高さを自在に変更することができる。そして、所望の位置で突っ張らせることにより、両端突っ張り棒と第三面とから受ける抗力にて固定される。従って、片端突っ張り棒の圧接部側に両端突っ張り棒が無くても良いし、圧接部側の上下面は平坦でなくても良い。圧接部は吸盤やゴム板などの弾性材料で形成すると良い。
【考案の効果】
【０００６】  片端突っ張り棒の圧接部側即ち先端側に両端突っ張り棒が無くても良いし、先端側の上下面は平坦でなくても良いことから、狭い隅を有効に活用することができる。また、片端突っ張り棒は、両端突っ張り棒と壁面との両側で固定されるから、大面積の棚を取り付けることもできる。さらには、片端突っ張り棒は、両端突っ張り棒の固定位置を移動させることにより、伸縮範囲内において自由に、幅を設定できる。
【考案を実施するための最良の形態】
【０００７】−実施形態１−
この考案の突っ張り構造の第一の実施形態を図面と共に説明する。図１は実施形態に係る突っ張り構造を示す斜視図である。
この構造は、１本の両端突っ張り棒１、１本の片端突っ張り棒２からなる。両端突っ張り棒１は、径大の外筒１ａ、及び外筒１ａよりも径小で内筒１ｂを備える。外筒１ａ及び内筒１ｂの各一端にはゴム盤１ｃ、１ｄが取り付けられ、外筒１ａと内筒１ｂとはこれらのゴム盤１ｃ、１ｄが取り付けられていない端部同士で互いに嵌合される。外筒１ａ内にはコイルバネ（図示省略）が挿入されており、その一端は外筒１ａ内のゴム盤１ｃ側端部に固定され、他端は内筒１ｂ内に挿入されている。そして、内筒１ｂの内周面にコイルバネに係るように径方向にピンが突き出ており、内筒１ｂの回転に伴って、そのピンがコイルバネに案内されて螺旋状に変位するとともに内筒１ｂを軸方向に進退させる。従って、コイルバネに対するピンの位置によって両端突っ張り棒１の長さが定まる。【０００８】  片端突っ張り棒２も同様に径大の外筒２ａ及び径小の内筒２ｂを備える。外筒２ａの両端突っ張り棒１側端部には両端突っ張り棒１との連結具８が取り付けられている。連結具８は、両端突っ張り棒１の長寸方向に沿って摺動可能であり、止め螺子８ａ及び８ｂ、さらに片端突っ張り棒２を固定する止め螺子８ｃを備える。また連結具８は、内筒２ｂと直交する両方向に張り出したＴ字形状をなし、その直交方向に内径が外筒２ａの外径より僅かに大きい貫通孔が形成されている。その貫通孔に外筒２ａが嵌合することにより、片端突っ張り棒２が外筒２ａに対して摺動可能に固定されている。内筒２ｂの先端にはゴム盤２ｄが取り付けられている。
この突っ張り構造を部屋の隅で使用するときは、両端突っ張り棒１の外筒１ａを下に、内筒１ｂを上にして、内筒１ｂを回転させて全長を延ばし、ゴム盤１ｃ、１ｄをそれぞれ床等の下面及び天井等の上面に圧接して固定する。次に連結具８を所望の高さに移動させ、止め螺子８ａ及び８ｂで固定する。次に片端突っ張り棒２を、連結具８の貫通孔に嵌合させ、止め螺子８ｃで一端を固定する。最後に内筒２ｂを回転させて全長を延ばし、ゴム盤２ｄを壁面に圧接することにより、片端突っ張り棒２を固定する。壁面付近の上下面が平坦でなかったり、異物が存在していても支障はない。また、片端突っ張り棒２が両端の２点で支持されているので、耐荷重が向上し、多量の衣類や物品を掛けることができる。【０００９】  尚、軽量化等のために両端突っ張り棒１を細くすると、両端突っ張り棒１の耐曲げ力が片端突っ張り棒２から受ける力よりも小さくなり、片端突っ張り棒２をあまり強く突っ張らせることができなくなる。このような場合、図２に示すように、連結具８の基部８ｄを分岐させることにより、片端突っ張り棒２から受ける力が両端突っ張り棒１の長寸方向に分散するようにするとよい。【００１０】−実施形態２−
この考案の突っ張り構造の第二の実施形態を図面と共に説明する。図３は第二の実施形態に係る突っ張り構造を示す斜視図である。
この実施形態の突っ張り構造は、２本の両端突っ張り棒１１、１１及び２本の片端突っ張り棒１２、１２を備える。片端突っ張り棒１２、１２は、棚１３の要素をも兼ねている。即ち、棚１３は、片端突っ張り棒１２、１２と、それらの間に平行に配置された支持棒１４、１４、１４と、片端突っ張り棒及び支持棒に跨って掛けられた補強具１５、１６、１７とからなる。補強具１５、１６、１７は、それぞれの両端に懸架部が備わっている。支持棒１４も外筒１４ａ及び内筒１４ｂからなる。但し、コイルバネは内装されていない。補強具１５は外筒１４ａの両端突っ張り棒１１側端部に掛けられ、外筒１４ａのもう一方の端部は補強具１６を貫通している。内筒１４ｂの一端は外筒１４ａに挿入され、他端は補強具１７に埋め込まれている。【００１１】  この突っ張り構造を使用するときも、両端突っ張り棒１１、１１の外筒１１ａ、１１ａを下に、内筒１１ｂ、１１ｂを上にして、内筒１１ｂ、１１ｂを回転させて全長を延ばし、ゴム盤１１ｃ、１１ｃを床等の下面に、ゴム盤１１ｄ、１１ｄを天井等の上面に圧接して固定する。次に連結具１８、１８を、所望の高さに移動させ、止め螺子１８ａ、１８ａ及び１８ｂ、１８ｂで固定する。片端突っ張り棒１２、１２を、連結具１８、１８の貫通孔に嵌合させ、止め螺子１８ｃ、１８ｃで、一端を固定する。片端突っ張り棒１２、１２を内筒１２ｂ、１２ｂを回転させて全長を延ばし、ゴム盤１２ｄ、１２ｄを壁面に圧接することにより、片端突っ張り棒１２、１２を固定する。最後に棚１３を、所望の幅に伸縮させて、固定された片端突っ張り棒１２、１２に懸架する。この場合も壁面付近の上下面が平坦でなかったり、異物が存在していても支障はない。また、棚１３が両端の４点で支持されているので、棚１３を一層大面積にして多量の物品を置くことができる。【００１２】−実施形態３−
実施形態１及び２ではいずれも両端突っ張り棒が鉛直方向に立てられていたが、第三実施形態は両端突っ張り棒を水平方向に突っ張らせ、片端突っ張り棒を床面等の下面に突っ張らせる例を示す。図４は、第三実施形態に係る突っ張り構造を示す斜視図である。
この形態の突っ張り構造は、１本の両端突っ張り棒２１及び１本の片端突っ張り棒２２を備え、これら２本の突っ張り棒２１、２２が連結具２８を介して連結されている。連結具２８は、図５に両端突っ張り棒２１とともに分解斜視図として示す如く、Ｔ字管状の本体２８ａと必要に応じて用いられる３つの調整管２８ｂ、２８ｃ、２８ｄからなる。本体２８ａは、外筒２１ａの外周面に緩み嵌合可能な内径を有する。【００１３】  連結具２８は、本体２８ａ単独で又は本体２８ａと調整管２８ｂ、２８ｃ、２８ｄの一つ以上とを組み合わせることにより両端突っ張り棒２１の長寸方向のどの位置でも固定されうる。即ち、外筒２１ａの外周面に固定したい場合は、調整管を用いることなく、所望の位置にて止めねじ２８ｅで本体２８ａを外筒２１ａに直接固定する。外筒２１ａと内筒２１ｂの両方に跨る位置に固定したい場合は、調整管２８ｂ、２８ｃ、２８ｄの一つ又は二つを本体２８ａと内筒２１ｂとの間に嵌合し、外筒２１ａに対しては下側の止めねじ２８ｅで直接、内筒２１ｂに対しては上側の止めねじ２８ｅで調整管を介して間接的に固定することができる。また、内筒２１ｂに固定したい場合は、調整管２８ｂ、２８ｃ、２８ｄの全部を本体２８ａと内筒２１ｂとの間に嵌合して固定すればよい。図６は、各位置で固定されている状態を示す斜視図である。
この形態の突っ張り構造は、両端突っ張り棒２１が水平方向に固定されているので、例えば空いている押し入れ等においてハンガー掛けとして利用することができる。そして、片端突っ張り棒２２の下端が床面に接しているので、大きい荷重を支えることができる。
尚、上記の調整管は実施形態１及び２でも適用可能である。
【図面の簡単な説明】
【００１４】
【図１】実施形態１の突っ張り構造を示す斜視図である。
【図２】実施形態１の変形例の要部を示す斜視図である。
【図３】実施形態２の突っ張り構造を示す斜視図である。
【図４】実施形態３の突っ張り構造を示す斜視図である。
【図５】実施形態３の突っ張り構造の一部分解斜視図である。
【図６】実施形態３の突っ張り構造の要部を示す斜視図である。
【符号の説明】
【００１５】１、１１、２１  両端突っ張り棒
２、１２、２２  片端突っ張り棒
１３  棚
８、１８、２８  連結具
【図１】
0003105200.tif 000003
【図２】
0003105200.tif 000004
【図３】
0003105200.tif 000005
【図４】
0003105200.tif 000006
【図５】
0003105200.tif 000007
【図６】
0003105200.tif 000008